【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
所定の始動条件の成立を契機として情報を取得する取得手段と、
その取得手段により取得された情報に基づいて識別情報の動的表示の期間を選定する期間選定手段と、
その期間選定手段により選定された期間の識別情報の動的表示と、演出動的表示とを実行する表示実行手段と、を備え、
前記表示実行手段により実行される前記識別情報の動的表示において所定の識別情報が現出された場合に、遊技者に所定の遊技価値を付与する遊技機において、
前記識別情報の動的表示において前記所定の識別情報が現出される場合に、前記表示実行手段による前記識別情報の動的表示を実行開始してから所定時間の経過後に、前記所定の識別情報の現出の確定を報知する報知手段を実行させる報知実行手段と、
その報知実行手段による前記報知手段の実行後に、前記表示実行手段により実行可能なその後の前記演出動的表示の態様として複数の候補を遊技者に提示する提示手段と、
遊技者による操作手段の操作に基づいて前記複数の候補の中から所定の演出動的表示態様が選択された場合に、その所定の演出動的表示態様を受け付ける受付手段と、を備え、
前記表示実行手段は、遊技者による操作手段の操作に基づいて前記所定の演出動的表示態様が受け付けられると、その受け付けられた所定の演出動的表示態様に応じて、前記演出動的表示を実行するものであり、
前記提示手段は、所定の選択可能期間を備え、前記提示の開始時において前記複数の候補の中のいずれかが選択準備状態となっており、前記所定の選択可能期間において遊技者により前記操作手段の操作が行われることに基づいて前記複数の候補の中で前記選択準備状態の候補を切り替えることを特徴とする遊技機。
【請求項２】
前記遊技機は、パチンコ遊技機又はスロットマシンであることを特徴とする請求項１記載の遊技機。
【手続補正２】
【補正対象書類名】明細書
【補正対象項目名】０００１
【補正方法】変更
【補正の内容】
【０００１】
本発明は、遊技機に関するものである。
【手続補正３】
【補正対象書類名】明細書
【補正対象項目名】０００２
【補正方法】変更
【補正の内容】
【０００２】
近年、パチンコ機等の遊技機では、様々な演出を行っているものがある（例えば、特許文献１）。このような演出の一つとして、変動演出後に所定の遊技価値の付与が確定したことを、その変動演出において告知する演出がある。
【手続補正４】
【補正対象書類名】明細書
【補正対象項目名】０００４
【補正方法】変更
【補正の内容】
【０００４】
このように所定の遊技価値の付与が確定した後であっても、遊技者に高い興趣を提供可能な遊技機が望まれている。
【手続補正５】
【補正対象書類名】明細書
【補正対象項目名】０００５
【補正方法】変更
【補正の内容】
【０００５】
本発明は、上記事情を鑑みてなされたものであり、遊技者に高い興趣を提供可能な遊技機を提供することを目的とする。
【手続補正６】
【補正対象書類名】明細書
【補正対象項目名】０００６
【補正方法】変更
【補正の内容】
【０００６】
この目的を達成するために請求項１記載の遊技機は、所定の始動条件の成立を契機として情報を取得する取得手段と、その取得手段により取得された情報に基づいて識別情報の動的表示の期間を選定する期間選定手段と、その期間選定手段により選定された期間の識別情報の動的表示と、演出動的表示とを実行する表示実行手段と、を備え、前記表示実行手段により実行される前記識別情報の動的表示において所定の識別情報が現出された場合に、遊技者に所定の遊技価値を付与するものであって、前記識別情報の動的表示において前記所定の識別情報が現出される場合に、前記表示実行手段による前記識別情報の動的表示を実行開始してから所定時間の経過後に、前記所定の識別情報の現出の確定を報知する報知手段を実行させる報知実行手段と、その報知実行手段による前記報知手段の実行後に、前記表示実行手段により実行可能なその後の前記演出動的表示の態様として複数の候補を遊技者に提示する提示手段と、遊技者による操作手段の操作に基づいて前記複数の候補の中から所定の演出動的表示態様が選択された場合に、その所定の演出動的表示態様を受け付ける受付手段と、を備え、前記表示実行手段は、遊技者による操作手段の操作に基づいて前記所定の演出動的表示態様が受け付けられると、その受け付けられた所定の演出動的表示態様に応じて、前記演出動的表示を実行するものであり、前記提示手段は、所定の選択可能期間を備え、前記提示の開始時において前記複数の候補の中のいずれかが選択準備状態となっており、前記所定の選択可能期間において遊技者により前記操作手段の操作が行われることに基づいて前記複数の候補の中で前記選択準備状態の候補を切り替える。
【手続補正７】
【補正対象書類名】明細書
【補正対象項目名】０００７
【補正方法】変更
【補正の内容】
【０００７】
請求項２記載の遊技機は、請求項１記載の遊技機において、前記遊技機は、パチンコ遊技機又はスロットマシンである。
【手続補正８】
【補正対象書類名】明細書
【補正対象項目名】０００８
【補正方法】変更
【補正の内容】
【０００８】
本発明の遊技機によれば、所定の始動条件の成立を契機として情報を取得する取得手段と、その取得手段により取得された情報に基づいて識別情報の動的表示の期間を選定する期間選定手段と、その期間選定手段により選定された期間の識別情報の動的表示と、演出動的表示とを実行する表示実行手段と、を備え、前記表示実行手段により実行される前記識別情報の動的表示において所定の識別情報が現出された場合に、遊技者に所定の遊技価値を付与するものであって、前記識別情報の動的表示において前記所定の識別情報が現出される場合に、前記表示実行手段による前記識別情報の動的表示を実行開始してから所定時間の経過後に、前記所定の識別情報の現出の確定を報知する報知手段を実行させる報知実行手段と、その報知実行手段による前記報知手段の実行後に、前記表示実行手段により実行可能なその後の前記演出動的表示の態様として複数の候補を遊技者に提示する提示手段と、遊技者による操作手段の操作に基づいて前記複数の候補の中から所定の演出動的表示態様が選択された場合に、その所定の演出動的表示態様を受け付ける受付手段と、を備え、前記表示実行手段は、遊技者による操作手段の操作に基づいて前記所定の演出動的表示態様が受け付けられると、その受け付けられた所定の演出動的表示態様に応じて、前記演出動的表示を実行するものであり、前記提示手段は、所定の選択可能期間を備え、前記提示の開始時において前記複数の候補の中のいずれかが選択準備状態となっており、前記所定の選択可能期間において遊技者により前記操作手段の操作が行われることに基づいて前記複数の候補の中で前記選択準備状態の候補を切り替えるので、遊技者に高い興趣を提供可能であるという効果がある。
【手続補正９】
【補正対象書類名】明細書
【補正対象項目名】０００９
【補正方法】削除
【補正の内容】
【手続補正１０】
【補正対象書類名】明細書
【補正対象項目名】０７５３
【補正方法】変更
【補正の内容】
【０７５３】
遊技機Ａ１，Ａ２，Ｂ１，Ｃ１，Ｃ２，Ｄ１，Ｅ１〜Ｅ３のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
近年、パチンコ機等の遊技機では、例えば、液晶表示装置に種々の画像を表示させたり、可動役物を動作させたりして、様々な演出を行っているものがある（例えば、特許文献１：特開２０１２−８５８６２号公報）。このような演出の一つとして、変動演出が確定表示された場合に確実に当たりとなることを、その変動演出の実行中に予告する予告演出がある。
そのような予告演出が、変動演出が開始されてから早い段階で行われると、遊技者は、その変動演出で当たりとなることを知ってしまうため、残った変動演出の期間で行われる演出に興味がなくなり、遊技への興趣が削がれてしまうおそれがあった。
本技術的思想は、上記事情を鑑みてなされたものであり、遊技者に識別情報の動的表示を飽きさせずに最後まで見させることができる遊技機を提供することを目的とする。